(57)【特許請求の範囲】
【請求項１】
既設の窓枠の四周外側の外壁面に後付けシャッターの取付枠体を取付ける際、該外壁面と後付けシャッターの取付枠体との間に、固着具で取付けられる後付けシャッターの取付枠体の取付片と同一若しくは幅広で且つ面積も大きな壁付けアタッチメントを介装して取付けると共に、前記取付片と共に取付けられた化粧カバー材受け体に固着具隠し化粧カバーを弾性力で挟んで係止すると共に、壁付けアタッチメントと外壁面との間、及び、固着具隠し化粧カバーと壁付けアタッチメントとの間に、それぞれシーリングポケット部を形成し、壁付けアタッチメントと外壁面との間のシーリングポケット部にコーキング材を充填したことを特徴とする後付けシャッターの取付構造。
【請求項２】
前記固着具隠し化粧カバーと前記取付枠体との間に形成したシーリングポケット部にコーキング材を充填したことを特徴とする請求項１に記載の後付けシャッターの取付構造。
【請求項３】
既設の窓枠の四周外側の外壁面に後付けシャッターの取付枠体を取付ける際、該外壁面と後付けシャッターの取付枠体との間に、固着具で取付けられる後付けシャッターの取付枠体の取付片と同一若しくは幅広で且つ面積も大きな壁付けアタッチメントを介装して取付けると共に、前記取付片と共に取付けられた化粧カバー材受け体に固着具隠し化粧カバーを弾性力で挟んで係止すると共に、壁付けアタッチメントと外壁面との間、固着具隠し化粧カバーと壁付けアタッチメントとの間、及び、固着具隠し化粧カバーと前記取付枠体との間にそれぞれシーリングポケット部を形成し、これらシーリングポケット部にコーキング材を充填したことを特徴とする後付けシャッターの取付構造。
【発明の詳細な説明】
【０００１】
【発明の属する技術分野】
本発明は、シャッターの取付けに関するもので、特に、既存の戸建て住宅の増改築などに伴って、既設の窓枠の前に壁の上から後付けする後付けシャッターの取付構造に関するものである。
【０００２】
【従来の技術】
従来、戸建て住宅において窓の前面に面格子を取付けることによって防犯上の対策がなされているが、近年、既存の戸建て住宅の増改築などに伴って、開口部の面格子による閉塞感に代わって開放感を得られることから、既設の窓枠に取付けられていた面格子を取り去り、この取り去った面格子の代わりに巻き上げ巻き下ろし式のシャッターを既設の窓枠の前面に取付けることが増加してきている。
【０００３】
従来の既設の窓枠の前面に後付けする後付けシャッターの取付構造を図８により説明する。図８は、従来の後付けシャッターの取付構造の部分拡大図である。符号１は、外壁面で躯体の柱２の外側に取付けられた種々のサイディングボードによって構成されている。そして、この躯体の柱２の外側に取付けられた外壁面１の前面に後付けシャッター取付枠体の側枠３の取付片４が、ネジ５によって取付けられている。
【０００４】
【発明が解決しようとする課題】
しかしながら、このように後付けシャッター取付枠体は、外壁面１の前面に取付けられているが、外壁面１を形成しているサイディングボードは、種々の材料と材質からなっており、例えば、モルタル系や陶磁系などのセメント系のサイディングボード、木質系のサイディングボード、樹脂系のサイディングボード、金属系のサイディングボードやこれらの複合されたサイディングボードなどが使用されている。
【０００５】
いずれの材料と材質のサイディングボードであっても、ボード自体の厚さが、ある程度の厚みのあるものであれば、硬さと共に圧縮強度もあり、例え、ボードに後付けシャッター取付枠体等をネジなどによって取付けた場合にでも、ネジ止め部分が凹んで、左右の取付け位置に設計寸法との狂いを発生する恐れはない。
【０００６】
しかし、ボード自体の厚さが薄く、また、木質系、樹脂系や金属系などのサイディングボードの場合には、該ボードに取付けられる部材の重さやネジ止めを強く締め付けた場合に、サイディングボードに部分的に凹み部６を生じ易く、特に、取付けられる部材の前方への突出長さがある時には、図８に点線で図示されているように、先端部では、左右で最大２ａの長さ分だけ後付けシャッター取付枠体の側枠３、３の間で設計誤差を生ずることとなる。このため、該取付枠体の側枠３、３の先端部にあるシャッター案内溝でシャッターをスムースに案内することができなくなるばかりでなく、シャッターが上げ下げできなくなると云う不都合を生ずる場合も起こる。
【０００７】
そこで、本発明は、上述した課題によりなされたもので、シャッター巻上げ部の収納部とシャッター収納部とを一体とした後付けシャッターの取付枠体を既設の窓枠の四周外側の外壁面に取付ける際、既設住宅の外壁面と後付けシャッターの取付枠体との間に壁付けアタッチメントを介装することにより、後付けシャッターの取付枠体の外壁面への取付面積を大きくしたので、シャッターの取付枠体を直接外壁面に取付けるのに対して、外壁面に凹み部を生ずることなく確実に取付けると共に、壁付けアタッチメントと外壁面との間、及び、固着具隠し化粧カバーと壁付けアタッチメントとの間、又は、壁付けアタッチメントと外壁面との間、及び、固着具隠し化粧カバーと壁付けアタッチメントとの間、及び、固着具隠し化粧カバーと取付枠体との間にそれぞれシーリングポケット部を形成し、壁付けアタッチメントと外壁面との間のシーリングポケット部、及び又は、固着具隠し化粧カバーと壁付けアタッチメントとの間のシーリングポケット部、及び又は、固着具隠し化粧カバーと取付枠体との間のシーリングポケット部にコーキング材を充填するようにした後付けシャッターの取付構造を提供することを目的とするものである。
【０００８】
【課題を解決するための手段】
上記の目的を達成するため、本発明の請求項１に記載の発明は、既設の窓枠の四周外側の外壁面に後付けシャッターの取付枠体を取付ける際、該外壁面と後付けシャッターの取付枠体との間に、固着具で取付けられる後付けシャッターの取付枠体の取付片と同一若しくは幅広で且つ面積も大きな壁付けアタッチメントを介装して取付けると共に、前記取付片と共に取付けられた化粧カバー材受け体に固着具隠し化粧カバーを弾性力で挟んで係止すると共に、壁付けアタッチメントと外壁面との間、及び、固着具隠し化粧カバーと壁付けアタッチメントとの間に、それぞれシーリングポケット部を形成し、壁付けアタッチメントと外壁面との間のシーリングポケット部にコーキング材を充填したことを特徴とするものである。
【０００９】
また、上記の目的を達成するため、本発明の請求項２に記載の発明は、固着具隠し化粧カバーと前記取付枠体との間に形成したシーリングポケット部にコーキング材を充填したことを特徴とするものである。また、上記の目的を達成するため、本発明の請求項３に記載の発明は、既設の窓枠の四周外側の外壁面に後付けシャッターの取付枠体を取付ける際、該外壁面と後付けシャッターの取付枠体との間に、固着具で取付けられる後付けシャッターの取付枠体の取付片と同一若しくは幅広で且つ面積も大きな壁付けアタッチメントを介装して取付けると共に、前記取付片と共に取付けられた化粧カバー材受け体に固着具隠し化粧カバーを弾性力で挟んで係止すると共に、壁付けアタッチメントと外壁面との間、固着具隠し化粧カバーと壁付けアタッチメントとの間、及び、固着具隠し化粧カバーと前記取付枠体との間にそれぞれシーリングポケット部を形成し、これらシーリングポケット部にコーキング材を充填したことを特徴とするものである。
【００１０】
【発明の実施の形態】
以下、本発明の後付けシャッターの取付構造の実施の形態を図１〜図７によって説明する。図１は戸建て住宅の既設の窓の外観図であり、図２は本発明の壁付けアタッチメントの斜視図、図３は本発明の後付けシャッターの取付構造の斜視図、図４は固着具隠し化粧カバーの斜視図、図５は本発明の後付けシャッターの取付構造の横断面図、図６は図５の部分拡大図、図７は本発明の後付けシャッターの取付構造の縦断面図である。
【００１１】
図１に図示されているように、戸建て住宅の既設の窓枠Ａは、住宅の開口部に取付けられた左右の縦枠７、７と上枠８と下枠９とで構成されており、外壁面１より若干突出している。そして、このように構成された窓枠Ａ内に引き違い式の障子体１０、１０が開閉可能に設けられている。なお、引き違い式の開閉体に限定されることなくスイング式の開閉体であってもよい。
【００１２】
次に、図２に示す本発明の壁付けアタッチメント１１について説明すると、壁付けアタッチメント１１は、ネジ孔１６を有する左右の板状縦部材１２、１２と同じくネジ孔１６を有する上下の板状上部材１３、板状下部材１４と、ネジ孔１６を有する板状中部材１５とからなっている。なお、この壁付けアタッチメント１１の各部材は、図５および６で示すように箱状の部材であってもよい。そして、壁付けアタッチメント１１の幅は、後述するこの上に固着具で取付けられる後付けシャッター取付枠体１７の取付片４の幅と同一若しくは幅広で且つ面積も同一若しくは大きくなるように形成されている。
【００１３】
次に、図３に示す本発明の後付けシャッター取付枠体１７について説明すると、後付けシャッター取付枠体１７は、上枠１８、下枠１９と左右の側枠３、３とで構成されており、更に、このように構成された後付けシャッター取付枠体１７の内部には、該内部をシャッター巻上げ部の収納部２１とシャッター収納部２２とに区分する仕切枠２０が取付けられている。また、上枠１８、下枠１９と左右の側枠３、３との外壁面１側には、取付片４、４、４、４が外側に延出して形成されている。符号２４は、外壁面１に上枠１８、下枠１９、各左右の側枠３、３をネジなどの固着具で取付けるためのネジ孔である。
【００１４】
次に、図４に示す固着具隠し化粧カバー２５について説明すると、固着具隠し化粧カバー２５は、断面Ｕ字状の左右の側部化粧カバー材２６、２６と同じく断面Ｕ字状の上部化粧カバー材２７と下部化粧カバー材２８と、これらの端部同士を接続する接続部材２９とで構成されている。また、固着具隠し化粧カバー２５の各化粧カバー材２６、２６、と２７、２８の内側となる外側面には突起条３０が形成されている。また、各化粧カバー材２６、２６、２７、２８の側面端は内方に曲折又は引っ掛かり部が形成されている。
【００１５】
次に、図面の図４〜７によって本発明の後付けシャッターの取付構造について説明すると、既設の窓枠Ａの四周外側の外壁面１に、壁付けアタッチメント１１として箱状の部材で形成された箱状の壁付けアタッチメント部材１１１を固着具の一種であるネジ３３によりネジ止めする。そして、このように外壁面１にネジ止めされた箱状の壁付けアタッチメント部材１１１の上に、予め、施工現場等で上枠１８と下枠１９と両側枠３、３とで組み立てられた後付けシャッター取付枠体１７を載せると共に、後付けシャッター取付枠体１７の各側枠から延出形成されている取付片４のネジ孔２４をネジ３５で箱状の壁付けアタッチメント部材１１１の上に取付ける。このネジ止めする際に断面Ｕ字形の化粧カバー材受け体３６、３６、…のピースを各取付片４の各ネジ孔２４毎にネジ止めする。なお、ネジに換えてボルトや釘などの固着具によって取付けてもよい。
【００１６】
そして、このように既設の窓枠Ａの四周外側の外壁面１に取付けられた後付けシャッター取付枠体１７のシャッター巻上げ部の収納部２１にシャッターとシャッター巻上げ駆動部を取付け収納すると共に、シャッター巻上げ部の収納部２１の前面は、図７に示すように化粧カバー板４１で閉塞される。
【００１７】
既設の窓枠Ａの四周外側に箱状の壁付けアタッチメント部材１１１を介して取付けられた後付けシャッター取付枠体１７の取付片４に、４本の断面Ｕ字状の化粧カバー材２６、２６、２７、２８と４つの接続部材２９とで構成されたネジ隠し化粧カバー２５の断面Ｕ字の開口側を後付けシャッター取付枠体１７の各取付片４と共にネジ止めされた断面Ｕ字形の化粧カバー材受け体３６、３６、…に被せて嵌める。
【００１８】
断面Ｕ字形の化粧カバー材受け体３６の端部外側には引っ掛かり部が形成されており、また、ネジ隠し化粧カバー２５の各化粧カバー材２６、２６、２７、２８の側面端は内方に曲折又は引っ掛かり部を形成しているので、化粧カバー材受け体３６の端部外側に形成されている引っ掛かり部に各化粧カバー材２６、２６、２７、２８の側面端に形成されている内方に曲折又は引っ掛かり部が、弾性力で挟んで引っ掛かり係止される。
【００１９】
そして、このように既設の窓枠Ａの外側の外壁面に取付けされた後付けシャッター取付枠体１７の側枠３と、後付けシャッター取付枠体１７の取付片４と共にネジ止めされた化粧カバー材受け体３６に係止された化粧カバー材２６の内側となる外側面に形成された突起条３０との間に形成されるシーリングポケット部３７に沿ってコーキング材を充填する。また、前記化粧カバー材２６の外側となる外側面下部と前記箱状の壁付けアタッチメント部材１１１との間に形成されるシーリングポケット部３８と、外壁面１と前記箱状の壁付けアタッチメント部材１１１の外側面に形成されたシーリングポケット部３９に沿ってコーキング材を充填する。
【００２０】
特に、雨水が溜まり易く、その結果内部に雨水が入り易い後付けシャッター取付枠体１７の上枠１８部分の取付けについて説明すると、壁面を構成する断熱壁パネル４０の外壁面１の既設の窓枠の四周外側に沿って箱状の部材で形成された箱状の壁付けアタッチメント部材１１１をネジ３３によりネジ止めする。そして、この箱状の壁付けアタッチメント部材１１１の上に、後付けシャッター取付枠体１７を載せると共に、後付けシャッター取付枠体１７の各側枠から延出形成されている取付片４のネジ孔２４をネジ３５で箱状の壁付けアタッチメント部材１１１の上に取付ける。このネジ止めする際に断面Ｕ字形の化粧カバー材受け体３６、３６、…のピースを各取付片４の各ネジ孔２４毎にネジ止めする。
【００２１】
そして、断面Ｕ字形で端部外側には引っ掛かり部が形成された化粧カバー材受け体３６のピースが、このネジ止めの際に、各ネジ孔２４毎にネジ止めされ、この化粧カバー材受け体３６に固着具隠し化粧カバー２５の化粧カバー材２７の断面Ｕ字の開口側を被せて嵌め弾性力で挟んで引っ掛かけ係止する。このとき、化粧カバー材２５の上枠２７側の側面には、他の枠体と同様に突起条３０が形成されているので、上枠２７の外側面と突起条３０が形成され化粧カバー材２７の側面との間、化粧カバー材２７の他側面と箱状の壁付けアタッチメント部材１１１との間、及び、外壁面１と箱状の壁付けアタッチメント部材１１１との間にそれぞれ形成されたシーリングポケット部３７、３８、３９に沿ってコーキング材３４、３２を充填する。
【００２２】
このように後付けシャッターの取付枠体を既設の窓枠の外側に沿って外壁面に取付ける際、既設住宅の外壁面と後付けシャッターの取付枠体との間に壁付けアタッチメントを介装すると共に、シャッターの取付枠体の外壁面への取付面積を後付けシャッターの取付枠体の取付片と同一若しくは大きくしているので、例え、後付けシャッターの取付枠体を取付ける外壁面を構成するサイディングボードの厚みが薄く、また、木質系、樹脂系や金属系などのサイディングボードの場合であっても、外壁面に凹み部を生ずることなく確実に取付けることができる。このため、後付けシャッターの取付枠体の外壁面への取付け歪みがなくなり、この後付けシャッターの取付枠体にシャッターを案内させる場合にもスムースに案内することができる。
【００２３】
また、化粧カバー材受け体に係止された化粧カバー材によって、後付けシャッター取付枠体の取付片をネジ止めしたネジの頭を覆い隠すことができると共に、該化粧カバー材の両外側と後付けシャッター取付枠体の側枠及び外壁面との間に少し大きめのコーキング材を溜めるためのシーリングポケット部を形成しているので、このポケット部にコーキング材を打ち易くすると共に多くのコーキング材を溜めることができ、コーキング材の充填による作業不良による雨水の浸入を確実に防止することができ、コーキング材に亀裂が発生しても内部に雨水などの水が入り込むのを防ぐことができる。
【００２４】
【発明の効果】
以上説明したように、本発明の請求項１に記載の後付けシャッターの取付構造は、後付けシャッターの取付枠体を既設の窓枠の四周外側の外壁面に取付ける際、既設住宅の外壁面と後付けシャッターの取付枠体との間に壁付けアタッチメントを介装すると共に、シャッターの取付枠体の外壁面への取付面積は、後付けシャッターの取付枠体の取付片と同一若しくは大きくしているので、例え、後付けシャッターの取付枠体を取付ける外壁面を構成するサイディングボードの厚みが薄く、また、木質系、樹脂系や金属系などのサイディングボードの場合であっても、外壁面に凹み部を生ずることなく確実に取付けることができる。このため、後付けシャッターの取付枠体の外壁面への取付け歪みがなくなり、この後付けシャッターの取付枠体にシャッターを案内させる場合にもスムースに案内することができると云う効果を奏する。また、壁付けアタッチメントと外壁面との間のシーリングポケット部を形成することにより、このシーリングポケット部にコーキング材を打ち易くすると共に多くのコーキング材を溜めることができ、コーキング材の充填による作業不良による雨水の浸入を確実に防止することができ、コーキング材に亀裂が発生しても内部に雨水などの水が入り込むのを防ぐと云う効果を奏する。
【００２５】
また、本発明の請求項２に記載の後付けシャッターの取付構造は、既設の窓枠の四周外側の外壁面に後付けシャッター取付枠体の外方に延出する取付片を取付け、該取付片と共に取付けられた化粧カバー材受け体に固着具隠し化粧カバーを弾性力で挟んで係止しているので、この固着具隠し化粧カバー材によって、後付けシャッター取付枠体の取付片を取付けた固着具の頭を覆い隠すことができると云う効果を奏する。また、前記固着具隠し化粧カバーと前記取付枠体との間に形成したシーリングポケット部にシーリングポケット部にコーキング材を打ち易くすると共に多くのコーキング材を溜めることができ、コーキング材の充填による作業不良による雨水の浸入を確実に防止することができ、コーキング材に亀裂が発生しても内部に雨水などの水が入り込むのを防ぐと云う効果を奏する。
【００２６】
また、本発明の請求項３に記載の後付けシャッターの取付構造は、既設の窓枠の四周外側の外壁面に後付けシャッターの取付枠体を取付ける際、既設住宅の外壁面と後付けシャッターの取付枠体との間に壁付けアタッチメントを介装すると共に、シャッターの取付枠体の外壁面への取付面積は、後付けシャッターの取付枠体の取付片と同一若しくは大きくしているので、例え、後付けシャッターの取付枠体を取付ける外壁面を構成するサイディングボードの厚みが薄く、また、木質系、樹脂系や金属系などのサイディングボードの場合であっても、外壁面に凹み部を生ずることなく確実に取付けることができる。このため、後付けシャッターの取付枠体の外壁面への取付け歪みがなくなり、この後付けシャッターの取付枠体にシャッターを案内させる場合にもスムースに案内することができると云う効果を奏する。また、壁付けアタッチメントと外壁面との間、固着具隠し化粧カバーと壁付けアタッチメントとの間、及び、固着具隠し化粧カバーと前記取付枠体との間にそれぞれシーリングポケット部を形成することにより、このシーリングポケット部にコーキング材を打ち易くすると共に多くのコーキング材を溜めることができ、コーキング材の充填による作業不良による雨水の浸入を確実に防止することができ、コーキング材に亀裂が発生しても内部に雨水などの水が入り込むのを防ぐと云う効果を奏する。
【図面の簡単な説明】
【図１】戸建て住宅の既設の窓の外観図、
【図２】本発明の壁付けアタッチメントの斜視図、
【図３】本発明の後付けシャッターの取付構造の斜視図、
【図４】ネジ隠し化粧カバーの斜視図、
【図５】本発明の後付けシャッターの取付構造の横断面図、
【図６】図５の部分拡大図、
【図７】図７は本発明の後付けシャッターの取付構造の縦断面図、
【図８】従来の後付けシャッターの取付構造の部分拡大図である。
【符号の説明】
Ａ  既設の窓枠、  １  外壁面、  ２  躯体の柱、
３  後付けシャッター取付枠体の側枠、  ４  取付片、  ５  ネジ、
６  凹み部、  ７  縦枠、  ８  上枠、  ９  下枠、    １０  障子体、
１１  壁付けアタッチメント、    １１１  箱状の壁付けアタッチメント部材、１２  板状縦部材、    １３  板状上部材、    １４  板状下部材、
１５  板状中部材、    １６  ネジ孔、    １７  後付けシャッター取付枠体、１８  後付けシャッター取付枠体の上枠、
１９  後付けシャッター取付枠体の下枠、
２０  後付けシャッター取付枠体の仕切枠、
２１  シャッター巻上げ部の収納部、    ２２  シャッター上下部、
２４  ネジ孔、  ２５  固着具隠し化粧カバー、  ２６  側部化粧カバー材、
２７  上部化粧カバー材、  ２８  下部化粧カバー材、  ２９  接続部材、
３０  突起条、    ３１  開口部、  ３２  サッシ枠、  ３３  ネジ、
３５  ネジ、  ３６  化粧カバー材受け体、  ３７  窪み部、  ３８  窪み部、３９  窪み部、  ４０  断熱壁パネル、  ４１  化粧カバー板、
４２  シャッター巻上げ部、    ４３  シャッター。
【図１】
0003776321.tif 000002
【図２】
0003776321.tif 000003
【図３】
0003776321.tif 000004
【図８】
0003776321.tif 000005
【図４】
0003776321.tif 000006
【図５】
0003776321.tif 000007
【図６】
0003776321.tif 000008
【図７】
0003776321.tif 000009